(57)【要約】【課題】簡単な構造で、建物本体に対して位置合わせすることが容易な屋根パネルを得る。【解決手段】屋根パネル３４の転び止め３８の外面には、位置決め接合板４２が釘４４により取り付けられている。位置決め接合板４２の下部は、転び止め３８よりも下方に突出した突出部４２Ｔとなっている。突出部４２Ｔを枠部材２２の外面に接触させて、釘４６を打ちつけることで、位置あわせを容易に行うことができる。これらの位置あわせのために、従来の桁パッキンのような部材が不要なので、簡単な構造となる。【選択図】図３−１
2009299386.tif 000002
【特許請求の範囲】
【請求項１】
複数の垂木と、
複数の前記垂木を繋ぐ転び止め部材と、前記転び止め部材から一部が突出するように転び止め部材に取り付けられ、突出部分において建物本体部材に接合可能とされた接合部材と、を備えた転び止め構造体と、
を有する屋根パネル。
【請求項２】
前記転び止め構造体に取り付けられ、前記接合部材を前記建物本体部材に接合した状態で前記建物本体部材の本体断熱材と一体化する屋根断熱材、
を有する請求項１に記載の屋根パネル。
【請求項３】
内壁板と、この外側に配置されて内壁板との間に通気層を構成する外壁板とを備えた前記建物本体部材に用いられ、
前記転び止め構造体が、前記通気層を確保する位置で建物本体部材に接合可能とされている請求項１又は請求項２に記載の屋根パネル。
【発明の詳細な説明】
【技術分野】
【０００１】
本発明は、屋根パネルに関し、たとえば、建物本体の内壁板や天井パネル等に接合されて建物の屋根を構成する屋根パネルに関する。
【背景技術】
【０００２】
建物の屋根（屋根パネル）を壁との取合い構造として、特許文献１には、壁枠組みに張設された断熱材の上端に桁パッキンを配置し、屋根枠組みを構成する垂木間を繋ぐ転び止めが桁パッキンに当接して桁パッキンの室外側に位置するようにした構造が記載されている。
【０００３】
この構造では、屋根枠組みに張設された断熱材と、壁枠組みに張設された断熱材とが桁パッキンを介して連続することになるが、桁パッキンが必要で構造が複雑になり、しかも、転び止めが桁パッキンに当接されるため、壁枠組みと屋根枠組みとを正確に位置あわせすることが難しい。
【特許文献１】特開平７−４８８８３号公報
【発明の開示】
【発明が解決しようとする課題】
【０００４】
本発明は上記事実を考慮し、簡単な構造で、建物本体に対して位置合わせすることが容易な屋根パネルを得ることを課題とする。
【課題を解決するための手段】
【０００５】
請求項１に記載の発明では、複数の垂木と、複数の前記垂木を繋ぐ転び止め部材と、前記転び止め部材から一部が突出するように転び止め部材に取り付けられ、突出部分において建物本体部材に接合可能とされた接合部材と、を備えた転び止め構造体と、を有する。
【０００６】
この屋根パネルでは、転び止め部材と接合部材とで転び止め構造体が構成されており、接合部材は、その一部が転び止め部材から突出するように取り付けられている。そして、この突出部分を建物本体部材に接合することで、屋根パネルを建物本体部材に取り付けることができる。接合部材は、転び止め部材に取り付けられているので、従来の桁パッキンのような部材が不要で、構造が簡単になる。接合部材は、転び止め部材に取り付けられており、その位置が正確に決まるので、屋根パネルの建物本体部材に対する位置あわせが容易になる。
【０００７】
なお、ここでいう「建物本体部材」には、建物において屋根以外の部分を構成する部材であれば特に限定されるものではないが、特に、壁パネル（内壁板）や天井パネル等を挙げることができる。
【０００８】
請求項２に記載の発明では、請求項１に記載の発明において、前記転び止め構造体に取り付けられ、前記接合部材を前記建物本体部材に接合した状態で前記建物本体部材の本体断熱材と一体化する屋根断熱材、を有する。
【０００９】
このように、建物本体部材の本体断熱材と、屋根パネルの屋根断熱材を一体化させることで、これらが一体化していない（分離している）構成と比較して、高い断熱効果を得ることができる。
【００１０】
この「一体化」には、建物断熱材と屋根断熱材とが、これらの間に他の部材を介在させることなく接触している構成を含むのはもちろんであるが、たとえば、建物本体部材の壁パネルを構成している枠や梁等の部材が間に介在されていても、この部材に建物断熱材と屋根断熱材とが接触していれば、実質的に一体化していることになり、高い断熱効果が得られる。
【００１１】
請求項３に記載の発明では、請求項１又は請求項２に記載の発明において、内壁板と、この外側に配置されて内壁板との間に通気層を構成する外壁板とを備えた前記建物本体部材に用いられ、前記転び止め構造体が、前記通気層を確保する位置で建物本体部材に接合可能とされている。
【００１２】
すなわち、この屋根パネルを用いることで、内壁板と外壁板との間に構成された通気層での通気を阻害することなく（通気を確保し）、建物本体部材に取り付けることが可能になる。
【発明の効果】
【００１３】
本発明は上記構成としたので、簡単な構造で、建物本体に対して位置合わせすることが容易な屋根パネルが得られる。
【発明を実施するための最良の形態】
【００１４】
図１及び図２には、本発明の第１実施形態の屋根パネル３４が示されている。また、図３−１には、建物本体を構成する壁パネル２０にこの屋根パネル３４を取り付けた状態が示されている。第１実施形態では一例として、図７に示す切妻タイプの屋根１４を有する住宅１２において、傍軒１６に適用したものを挙げている（螻羽１８に適用した例は第２実施形態として後で挙げる）。したがって、図３−１は、図７におけるＩＩＩ−ＩＩＩ線で破断した場合の端面図になっている。
【００１５】
なお、図７では、住宅１２の長手方向の両端に屋根１４の妻部分が位置する構造のものを挙げている。各図面において、上方向を矢印ＵＰで、建物本体の短手方向における外方向を矢印ＯＵＴでそれぞれ示す。以下、単に「外方向」、「外側」というときは、それぞれ、建物本体の外方向、外側をいう。「内方向」、「内側」についても、建物本体の内方向、内側をそれぞれいう。
【００１６】
図３−１に示すように、壁パネル２０は、上端及び下端において水平方向に配置された枠部材２２（下端の枠部材は図示省略）と、鉛直方向に延在されて、これら枠部材２２を繋ぐ複数の図示しない柱部材とを有している。上側の枠部材２２の位置は、たとえば天井根太２４と略同じ高さに設定されている。そして、枠部材２２に、内ボード２３Ａ及び外ボード２３Ｂが貼り付けられて、全体として建物の内壁板２６を構成している。内ボード２３Ａとしては、たとえば石膏ボードでも、木質サンドウィッチパネルでも、どちらでもよい。外ボード２３Ｂとしては、防湿シートでも、木質サンドウィッチパネルでも、どちらであってもよい。
【００１７】
上下の枠部材２２の間には本体断熱材３２が充填されており、壁パネル２０はいわゆる「充填断熱」が可能である。なお、天井部分（たとえば天井根太２４の上面）にも、必要に応じて断熱材をブローイング等の方法で充填することで、いわゆる「天井断熱」の構造を併用することが可能である。
【００１８】
内壁板２６の外側には、図示しない防湿シートが貼り付けられており、さらにその外側には、同じく図示しないスペーサを介して、外壁板２８（構造用壁合板）が取り付けられている。内壁板２６と外壁板２８の間の空間は、上端において開放されており、この空間が、通気層３０となっている。
【００１９】
図１に示すように、屋根パネル３４は、平行に配置された複数本の垂木３６を有している。垂木３６には、垂木３６と直交する方向に転び止め３８が掛け渡されて固定されている。また、図３−１に示すように、屋根パネル３４を壁パネル２０に取り付けた状態で、上方の枠部材２２と屋根パネル３４８転び止め３８及び屋根断熱材４０の間には、頭つなぎ材２５が配設される。そして、転び止め３８は、枠部材２２の上方に位置するように、垂木３６に対する位置が設定されている。特に本実施形態では、転び止め３８の幅は、枠部材２２の幅よりも狭くされている。
【００２０】
転び止め３８の内面には、屋根断熱材４０が配設されて、接着剤又は両面接着テープ等により、転び止め３８に取り付けられている。屋根断熱材４０は、屋根パネル３４が壁パネル２０上に設置された状態で枠部材２２を挟んで本体断熱材３２と一体的に連続する位置とされている。なお、本体断熱材３２、屋根断熱材４０の材質は、所望の断熱効果が得られれば特に限定されず、たとえば、発泡性の樹脂材料や、ロックウール、グラスウール、セルローズ等であってもよいが、本実施形態では、屋根断熱材４０としては、発泡ウレタン等の硬質系断熱材を用いている。また、本体断熱材３２としては、グラスウールを用いている。
【００２１】
転び止め３８の外面には、位置決め接合板４２が釘４４により取り付けられている。図３−１にも示すように、位置決め接合板４２は、転び止め３８よりも厚みが薄く、高さが高い板状に形成されている。そして、転び止め３８の上端と位置決め接合板４２の上端の高さが揃えられている。したがって、位置決め接合板４２の下部は、転び止め３８よりも下方に突出しており、突出部４２Ｔとなっている。そして、転び止め３８と位置決め接合板４２とで、本発明の転び止め構造体が構成されている。位置決め接合板４２としては、本実施形態では木質の板材を用いているが、金属製とされたいわゆる金物の板材であってもよい。
【００２２】
図３−１に示すように、屋根パネル３４が壁パネル２０上に設置された状態では、転び止め３８が枠部材２２の上面に面接触し、位置決め接合板４２の突出部４２Ｔが壁パネル２０の内壁板２６の外面に面接触している。突出部４２Ｔにおいて、釘４６により、位置決め接合板４２が内壁板２６に固定されるようになっている。このとき、位置決め接合板４２は、外壁板２８との間に隙間が構成される（非接触となる）ように所定の大きさ及び位置とされており、通気層３０における通気を位置決め接合板４２が阻害しないようになっている。
【００２３】
垂木３６の上側には野地板４８が貼り付けられている。野地板４８は、矢印ＯＵＴの方向には複数に分割されており、特に、図２に示すように、外側に位置する１枚の軒先野地板４８Ｎは、建物（住宅１２）を構成する前段階で、すなわち工場においてあらかじめ垂木３６に取り付けられており、組付精度を高めると共に、施工現場での作業の軽減が図られている。これに対し、軒先野地板４８Ｎ以外の野地板４８は、建物の施工現場で垂木３６に取り付けられるようになっていてもよいし、軒先野地板４８Ｎと同様に、工場で垂木３６に取り付けるようにして、さらに高い組付精度と現場での作業軽減を図ることが可能な構造とされていてもよい。なお、図１では便宜的に野地板４８を省略しており、図２では、軒先野地板４８Ｎ以外の野地板４８を省略している。
【００２４】
野地板４８も、本体断熱材３２と同様に、断熱性を有する材料で構成されている。したがって、屋根パネル３４が壁パネル２０に取り付けられて建物の屋根１４（図７参照）を構成している状態では、いわゆる「外断熱」が可能になっている。
【００２５】
次に、本実施形態の屋根パネル３４の作用を説明する。
【００２６】
本実施形態の屋根パネル３４は、垂木３６、転び止め３８、位置決め接合板４２、野地板４８、軒先下地５０、および屋根断熱材４０を、工場で組み付けて製造することができる。特に、野地板４８、屋根断熱材４０等は、あらかじめ所望のサイズにカットしておくこと（プレカット）により、組み付けを正確且つ容易に行うことが可能になる。したがって、施工現場でこれらを組み付ける場合と比較して、各部材をより正確な位置で組み付けでき、また、短時間且つ低コストで組み付けることも可能になる。もちろん、屋根パネル３４の構造や施工現場での状況に応じて、工場で組み付ける部材は、上記よりも多くあるいは少なくしてもよい。
【００２７】
屋根パネル３４の位置決め接合板４２は、その下部が転び止め３８から突出して突出部４２Ｔを構成しており、この突出部４２Ｔを、図３−１に示すように、枠部材２２の外面に接触させて、釘４６を打ちつけることで、屋根パネル３４を内壁板２６に強固に取り付けることができる。垂木３６から内壁板２６までが一体化するので、取付強度も高くなる。このとき、転び止め３８の外面に取り付けられた位置決め接合板４２を枠部材２２の外面に接触させているので、転び止め３８と枠部材２２との相対位置を正確に決めて軒先基準を確定できる。すなわち、屋根パネル３４の壁パネル２０に対する位置あわせを容易に行うことができる。
【００２８】
しかも、本実施形態の屋根パネル３４では、壁パネル２０に対する位置あわせのために、従来の桁パッキンのような部材が不要なので、簡単な構造となる。屋根パネル３４の壁パネル２０に対する取付方法としても、位置決め接合板４２の突出部４２Ｔを枠部材２２に釘４４で打ち付けるだけでよい。換言すれば、屋根パネル３４を壁パネル２０に取り付ける工事（工法）を統一することができ、特別な接合方法や工具等を用いる必要がなくなる。
【００２９】
また、このように屋根パネル３４を壁パネル２０に取り付けた状態では、屋根パネル３４の屋根断熱材４０と、壁パネル２０の本体断熱材３２とが、枠部材２２を介して一体的に連続する。これらの本体断熱材３２、屋根断熱材４０が一体化されることなく分離している構成と比較して、本実施形態では本体断熱材３２、屋根断熱材４０が一体化されているので、より高い断熱効果を得ることができる。たとえば、転び止め３８の箇所ではいわゆる熱橋（熱が移動しやすい部分）となりやすいため、転び止め３８に隣接して屋根断熱材４０を配置することで、熱橋における熱の移動を抑制することができる。さらに、転び止め３８に位置決め接合板４２を接触させて取り付け、さらにこの位置決め接合板４２を内壁板２６に接触させて取り付けているので、この部分での気密性を高く確保することも可能になる。
【００３０】
しかも、屋根パネル３４を壁パネル２０に取り付けた状態で、屋根断熱材４０本体断熱材３２とが一体的に連続するので、これらの屋根断熱材４０、本体断熱材３２をあらためて位置あわせする手間が不要で、断熱のための工事を簡素化できる。
【００３１】
このように、屋根断熱材４０及び本体断熱材３２によって、いわゆる充填断熱の構造としつつ、屋根パネル３４に設けた野地板４８によって、いわゆる外断熱の構造も兼ね備えた構成とすることができる。すなわち、単に天井面での充填断熱のみの構造では、小屋裏空間が実質的に外部空間となってしまうが、本実施形態では、屋根パネル３４の野地板４８によって外断熱の構造ともなっているので、小屋裏空間を、室内に近い温度環境とすることが可能である。たとえば、夏の外気温が高い状況でも、小屋裏空間の温度は、外断熱を行わない構造と比較して低くなるので、小屋裏空間からの輻射熱で室内の温度が上昇することを抑制できる。なお、前記したように、天井部分に断熱材料を充填して天井断熱の構造とすることも可能であり、この場合には、屋根断熱と天井断熱の双方を行うので、輻射熱による影響が軽減される。
【００３２】
さらに、この屋根パネル３４では、位置決め接合板４２が枠部材２２の外面、すなわち内壁板２６の外面に取り付けられており、位置決め接合板４２は外壁板２８に対し非接触となって、これらの間に隙間が構成されている。したがって、位置決め接合板４２は、通気層３０における通気を阻害しない。
【００３３】
なお、壁パネルの構造としては、図３−１に示した壁パネル２０に限定されない。たとえば、第１実施形態の変形例として図３−２に示す壁パネル２１であってもよい。この壁パネル２１では、外壁板２８（構造用壁合板）が外ボード２３Ｂに接触配置されており、通気層３０は構成されていない。
【００３４】
図４及び図５には、本発明の第２実施形態の屋根パネル６４が示されている。第２実施形態では、図７に示すように、住宅１２の螻羽１８（換言すれば、の屋根１４の角部）に適用される屋根パネル６４とされている。したがって、図６は、図７のＶＩ−ＶＩ線で破断した端面図になっている。
【００３５】
第２実施形態の屋根パネル６４では、螻羽１８に対応する部分には、転び止め３８と平行な複数の螻羽垂木６６が備えられている。
【００３６】
また、この屋根パネル６４では、螻羽１８に対応する部分の垂木３６（この垂木を特に符号３６Ａで示す）の内面に、屋根断熱材６８が配設されている。屋根断熱材６８は屋根断熱材４０と同様に、所望の断熱効果が得られる材料、たとえば、ロックウール、グラスウール、セルローズ等で構成されている。そして、図６から分かるように、屋根断熱材６８も、屋根パネル６４が壁パネル２０上に配置された状態で、枠部材２２を挟んで本体断熱材３２と一体的に連続する位置とされている。
【００３７】
また、垂木３６Ａには、位置決め接合板７０が釘４４により取り付けられており、その下部は、図６に示すように、垂木３６Ａよりも下方に突出して突出部７０Ｔとなっている。
【００３８】
なお、第２実施形態に係る壁パネル２０では、たとえば内ボード２３Ａとしては、ランバー材でも、木質サンドウィッチパネルでも、どちらであってもよい。
【００３９】
このような構成とされた第２実施形態の屋根パネル６４においても、第１実施形態の屋根パネル３４と同様の作用効果を奏する。
【００４０】
すなわち、垂木３６、転び止め３８、位置決め接合板４２、６８、野地板４８、螻羽垂木６６、屋根断熱材６８を、工場で組み付けて製造することで、各部材をより正確な位置で組み付けでき、また、短時間且つ低コストで組み付けることも可能になる。加えて、施工現場での作業も軽減できる。
【００４１】
また、位置決め接合板４２の突出部４２Ｔを、枠部材２２に釘４６で取り付けることに加えて、位置決め接合板７０の突出部７０Ｔを釘７２で枠部材２２に取り付けることが可能であり、従来の桁パッキン等を用いることなく、屋根パネル６４を位置あわせして取り付けできる。
【００４２】
取り付け状態では、屋根断熱材６８も本体断熱材３２と一体的に連続するので、このような断熱材が一体化していない構成と比較して、高い断熱効果が得られる。しかも、屋根断熱材４０及び本体断熱材３２による充填断熱の構造と、屋根パネル３４の野地板４８による外断熱の構造も兼ね備えることで、高い断熱効果が得られる構成とすることができる。
【００４３】
なお、上記では、本発明に係る「建物本体部材」として、壁パネル２０を挙げたが、屋根パネルの取付対象である建物本体部材としては壁パネルに限定されない。要するに、建物本体（屋根以外の部分）を構成すると共に屋根パネルを取り付けることが可能な部材であれば、本発明の屋根パネルに関しても、その取付対象である建物本体部材と成りうる。たとえば、住宅の天井パネルに対して、屋根パネルを取り付ける構造にも適用可能である。
【００４４】
本発明の適用対象である住宅の屋根形状としても、図７に上げた切妻タイプに限定されるものではない。また、本発明の屋根パネルが用いられる住宅において、天井が水平である必要もなく、むしろ、いわゆる勾配天井や、母屋上がり形状の住宅に対して、本発明の屋根パネルを好ましく適用できる。さらに、寄棟形状の屋根への納まりについても、たとえば、図１及び図２に示した形状の屋根パネルを基本構造とし、適宜形状変形などを施して展開すればよい。
【図面の簡単な説明】
【００４５】
【図１】本発明の第１実施形態の屋根パネルを野地板を除去した状態で示す平面図である。
【図２】本発明の第１実施形態の屋根パネルを野地板を取り付けた状態で示す平面図である。
【図３−１】本発明の第１実施形態の屋根パネルが適用された住宅を示す断面図である。
【図３−２】本発明の第１実施形態の変形例の屋根パネルが適用された住宅を示す断面図である。
【図４】本発明の第２実施形態の屋根パネルを野地板を除去した状態で示す平面図である。
【図５】本発明の第２実施形態の屋根パネルを野地板を取り付けた状態で示す平面図である。
【図６】本発明の第２実施形態の屋根パネルが適用された住宅を示す断面図である。
【図７】本発明の屋根パネルを適用可能な住宅を示し、（Ａ）は斜視図、（Ｂ）は平面図である。
【符号の説明】
【００４６】
１２  住宅
１４  屋根
１６  傍軒
１８  螻羽
２０  壁パネル
２２  枠部材
２６  内壁板
２８  外壁板
３０  通気層
３２  断熱材
３４  屋根パネル
３６  垂木
４０  断熱材
４２  位置決め接合板
４２Ｔ      突出部
４８  野地板
４８Ｎ      軒先野地板
５０  軒先下地
６４  屋根パネル
６６  螻羽垂木
６８  断熱材
７０  位置決め接合板
７０Ｔ      突出部
【図１】
2009299386.tif 000003
【図２】
2009299386.tif 000004
【図３−１】
2009299386.tif 000005
【図３−２】
2009299386.tif 000006
【図４】
2009299386.tif 000007
【図５】
2009299386.tif 000008
【図６】
2009299386.tif 000009
【図７】
2009299386.tif 000010